(57)【特許請求の範囲】
【請求項１】
底部に浴湯流入口を設け、かつ、上部側壁に浴湯流出口を設けた筒状外ケースと、同筒状外ケース内に嵌入して、前記浴湯流入口と浴湯流出口とを遮断するとともに、前記浴湯流入口から流入した浴湯を内部に導入する浴湯導入口を上部周壁に形成した筒状内ケースと、同筒状内ケース内に配設され、メッシュを周設するとともに、前記筒状外ケースの浴湯流出口と連通する筒状フィルタ本体とを具備し、筒状内ケースに形成した浴湯導入口を、位置をずらして複数個形成し、導入した浴湯を旋回させながらメッシュを通過させるようにしたことを特徴とするヘアキャッチャ。
【請求項２】
浴湯を浴湯循環流路内で循環させる濾過運転と、浴湯を殺菌流路内で循環させながら加熱する熱殺菌運転と、同熱殺菌運転終了後に、浴湯を浴湯循環流路内で循環させて高温浴湯と浴槽内浴湯とで熱交換する熱交換運転とを行えるようにした浴湯循環濾過装置に配設したヘアキャッチャであって、
底部に浴湯流入口を設け、かつ、上部側壁に浴湯流出口を設けた筒状外ケースと、同筒状外ケース内に嵌入して、前記浴湯流入口と浴湯流出口とを遮断するとともに、前記浴湯流入口から流入した浴湯を内部に導入する浴湯導入口を上部周壁に形成した筒状内ケースと、同筒状内ケース内に配設され、メッシュを周設するとともに、前記筒状外ケースの浴湯流出口と連通する筒状フィルタ本体とを具備し、筒状内ケースに形成した浴湯導入口を、位置をずらして複数個形成し、導入した浴湯を旋回させながらメッシュを通過させるようにしたことを特徴とする請求項１記載のヘアキャッチャ。
【請求項３】
メッシュは、筒状フィルタ本体の上端から一定間隔をあけた位置より周設したことを特徴とする請求項１又は２に記載のヘアキャッチャ。
【発明の詳細な説明】
【０００１】
【発明の属する技術分野】
この発明は、浴湯循環濾過装置に好適に使用できるヘアキャッチャに関するものである。
【０００２】
【従来の技術】
従来、浴湯を循環させながら浄化するとともに、設定温度に保温して、長時間浴湯の入れ替えをすることなく、常時、入浴可能な状態を保つことのできる浴湯循環濾過装置があり、風呂準備の手間がかからず、かつ、節水効果もあることから需要を伸ばしてきた。
【０００３】
その一形態として、浴室内に簡易に設置可能としたものがあり、その一般的な構成は、浴槽の近傍に設置できるようにコンパクトに構成した装置本体内に、浴湯流路を介して連通連結する循環ポンプと濾過器とヒータとを配設し、前記浴湯流路の一端に浴湯吸入口を浴槽内に設け、他端には同じく浴槽内に浴湯吐出口を設けて、両者を連通連結して浴湯循環流路を形成している。
【０００４】
そして、浴湯吸入口には、フィルタとなるヘアキャッチャを取付けるのが一般的である。
【０００５】
【発明が解決しようとする課題】
ところが、上記した従来の浴湯循環濾過装置では、濾過器を含む殺菌流路内は様々な殺菌処理を行なっているが、ヘアキャッチャまで殺菌するようにしたものはなかった。
【０００６】
特に、最近の調査によると、ヘアキャッチャに、抗酸菌などの雑菌が多数生息する場合があることが判明している。
【０００７】
したがって、ヘアキャッチャは衛生的とはいえず、毎日のように清掃しなければならないものであり、これはきわめて面倒な作業であった。しかも、清掃したとしても雑菌が生息する可能性が残ることは否めないのが現状である。
【０００８】
他方、ヘアキャッチャを殺菌する有効な方法として熱殺菌があるが、人が出入りする浴槽内に配設してあるヘアキャッチャを熱殺菌するのは危険であり、十分な安全性を確保する技術は未だ確立されていない。
【０００９】
また、ヘアキャッチャに捕捉された髪の毛などを除去する清掃作業はきわめて面倒であり、従来のヘアキャッチャは、その清掃時間が長くかかるという課題も残されていた。
【００１０】
本発明は、上記課題を解決することができ、浴湯循環濾過装置に好適に用いることのできるヘアキャッチャの提供を目的としている。
【００１１】
【課題を解決するための手段】
上記課題を解決するために、請求項１記載の本発明では、底部に浴湯流入口を設け、かつ、上部側壁に浴湯流出口を設けた筒状外ケースと、同筒状外ケース内に嵌入して、前記浴湯流入口と浴湯流出口とを遮断するとともに、前記浴湯流入口から流入した浴湯を内部に導入する浴湯導入口を上部周壁に形成した筒状内ケースと、同筒状内ケース内に配設され、メッシュを周設するとともに、前記筒状外ケースの浴湯流出口と連通する筒状フィルタ本体とを具備し、上記筒状内ケースに形成した浴湯導入口を、位置をずらして複数個形成し、導入した浴湯を旋回させながらメッシュを通過させることとした。
【００１２】
また、請求項２記載の本発明では、浴湯を浴湯循環流路内で循環させる濾過運転と、浴湯を殺菌流路内で循環させながら加熱する熱殺菌運転と、同熱殺菌運転終了後に、浴湯を浴湯循環流路内で循環させて高温浴湯と浴槽内浴湯とで熱交換する熱交換運転とを行えるようにした浴湯循環濾過装置に配設したヘアキャッチャであって、底部に浴湯流入口を設け、かつ、上部側壁に浴湯流出口を設けた筒状外ケースと、同筒状外ケース内に嵌入して、前記浴湯流入口と浴湯流出口とを遮断するとともに、前記浴湯流入口から流入した浴湯を内部に導入する浴湯導入口を上部周壁に形成した筒状内ケースと、同筒状内ケース内に配設され、メッシュを周設するとともに、前記筒状外ケースの浴湯流出口と連通する筒状フィルタ本体とを具備し、前記筒状内ケースに形成した浴湯導入口を、位置をずらして複数個形成し、導入した浴湯を旋回させながら、メッシュを通過させることとした。
【００１３】
また、請求項３記載の本発明では、上記メッシュは、筒状フィルタ本体の上端から一定間隔をあけた位置より周設した。
【００１５】
【発明の実施の形態】
この発明は、浴湯循環濾過装置に好適に用いることのできるヘアキャッチャに係るものであり、浴湯循環流路の中途であって、浴湯循環濾過装置のケーシング内に収納して用いることができる。
【００１６】
浴湯循環濾過装置を、浴湯を浴湯循環流路内で循環させる濾過運転と、浴湯を殺菌流路内で循環させながら加熱する熱殺菌運転と、同熱殺菌運転終了後に、浴湯を浴湯循環流路内で循環させて高温浴湯と浴槽内浴湯とで熱交換する熱交換運転とを行えるように構成したものとすれば、浴湯循環濾過装置が備えた濾過器をはじめ、ヘアキャッチャまでも効果的に熱殺菌することができる。
【００１７】
ヘアキャッチャの構成は、以下のようにすることができる。
【００１８】
すなわち、底部に浴湯流入口を設け、かつ、上部側壁に浴湯流出口を設けた筒状外ケースと、同筒状外ケース内に嵌入して、前記浴湯流入口と浴湯流出口とを遮断するとともに、前記浴湯流入口から流入した浴湯を内部に導入する浴湯導入口を上部周壁に形成した筒状内ケースと、同筒状内ケース内に配設され、メッシュを周設するとともに、前記筒状外ケースの浴湯流出口と連通する筒状フィルタ本体とを具備し、前記筒状内ケースの浴湯導入口から導入した浴湯を旋回させながら、筒状フィルタ本体のメッシュを通過させるように構成するものである。
【００１９】
筒状外ケースは上部開口を有し、同開口に蓋体を着脱自在に装着可能として、同蓋体に筒状内ケースを係合連結可能として、蓋体を取り外すと筒状内ケース及びその内部に配設した筒状フィルタ本体も同時に筒状外ケースから抜き出すことができるようにするとよい。かかる構成とすることにより、ヘアキャッチャのメンテナンス性が著しく向上する。
【００２０】
また、上記筒状内ケースに形成した浴湯導入口を、位置をずらして複数個形成し、導入した浴湯を旋回させながらメッシュを通過させるようにすることができる。
【００２１】
高温湯の旋回流によって洗い効果を向上させ、メッシュに生物膜が生成したり目詰まりしたりすることを可及的に防止して、メンテナンスインターバルを延長するとともに、フィルタ機能の寿命を長くすることができる。
【００２２】
さらに、上記メッシュは、筒状フィルタ本体の上端から一定間隔をあけた位置より周設することが好ましい。
【００２３】
これは、筒状内ケースの浴湯導入口から流入した浴湯が、筒状フィルタ本体の上端近傍から即座に内部に流入し、そのまま筒状外ケースの上部側壁に設けた浴湯流出口から抜けることを防止して、縦長に形成されたメッシュ全体を旋回流で効率的に洗浄できるようにするためである。
【００２４】
【実施例】
以下、この発明の実施例を図面に基づき説明する。
【００２５】
図１は本実施例に係るヘアキャッチャを具備する浴湯循環濾過装置の使用状態を示す説明図、図２は同浴湯循環濾過装置の模式的な説明図、図３はヘアキャッチャの正面図、図４は同ヘアキャッチャの断面視による説明図、 図５は図４のＩ−Ｉ線における端面図、図６はヘアキャッチャの配設状態を示す説明図、図７は同ヘアキャッチャの蓋体と筒状内ケースとの係合状態を示す説明図である。
【００２６】
図１に示すように、本浴湯循環濾過装置Ａは、浴室Ｂ内に設けた浴槽Ｃの縁部C1のコーナー部分に載置できるように、装置本体１を平面視で略三角形形状としたコンパクトな構成としている。
【００２７】
そして、装置本体１の内部に、図２に示すように、循環ポンプＰ、濾過器Ｑ、ヒータＨ、紫外線殺菌装置Ｓなどの各装置を収納配設するとともに、各装置類を制御する制御装置（図示せず）を配設している。
【００２８】
また、装置本体１の下部から、浴湯吸込パイプ２及び浴湯吐出パイプ３を浴槽Ｃの内部へ伸延させており、浴湯吸込パイプ２の先端に浴湯吸込口20を開口するとともに、浴湯吐出パイプ３の先端には浴湯吐出口30を開口している。
【００２９】
なお、図１中、1aは装置本体の蓋部である。また、11は装置本体１から伸延させるとともに、その先端開口を、浴室Ｂの洗い場B1に設けた排出口B2に臨ませた排水パイプであり、浴湯を系外に排出する排出流路を形成している。12は前記制御装置と電気的に接続して、浴湯循環濾過装置Ａの起動・停止、その他の操作を行うスイッチ類を配した操作パネルであり、装置本体１の前面に設けられている。また、15は前記浴湯吐出パイプ３を浴槽Ｃの内壁に固定するための吸盤である。
【００３０】
なお、本実施例では、前記浴湯吐出口30を空気取込パイプ31と連通連結した噴出ノズルにより構成し、気泡混じりの浴湯を噴出可能としているが、浴湯のみを噴出する形態であっても構わない。
【００３１】
図２に示すように、前記循環ポンプＰ、濾過器Ｑ、紫外線殺菌装置Ｓは互いに連結パイプで連通連結されて浴湯流路10を形成しており、同浴湯流路10の始端10a と終端10b に、前記浴湯吸込パイプ２と浴湯吐出パイプ３の基端をそれぞれ連通連結して浴湯循環流路Ｒを形成し、浴槽Ｃ内の浴湯を循環させながら濾過可能とするとともに、同浴湯循環流路Ｒの中途で、浴湯吸込口20と循環ポンプＰとの間に、本発明の要旨となるヘアキャッチャＦを配設して髪の毛やその他の比較的大きなゴミ等を捕捉するようにしている。
【００３２】
なお、浴湯循環流路Ｒにおいて、本実施の形態では、循環ポンプＰの直上流側に浴湯温度センサＥを取付けるとともに、循環ポンプＰの下流側である吐出側の流路にはサーミスタＴを設けて浴湯温度を検出可能とし、さらに、循環ポンプＰの直下流側にフロースイッチ４を取付けて浴湯の循環を検出可能としている。
【００３３】
濾過器Ｑ内に収納する濾過材Q1は、種々の素材のものを利用することができるが、本実施例では、下方から珪石、麦飯石、活性炭を積層したものとし、しかも、最上層に配設した活性炭は細粒炭を使用して濾過性能を向上させている。なお、Q2は循環濾過する浴湯が濾過器Ｑ内に均一に浸透するように設けた散水ノズル、Q3は先端を浴湯流路10に連通連結した濾過器Ｑの空気抜きホースであって、濾過運転時に濾過器Ｑ内に浴湯が充満すると、内部の空気を空気抜きホースQ3から浴槽Ｃ内に排出するようにしたものである。
【００３４】
また、本実施例では、前記ヒータＨを前記濾過器Ｑの下部に取付け、濾過器Ｑの内部に流入した浴湯を加温可能としている。
【００３５】
さらに、浴湯循環濾過装置Ａは、図２に示すように、前記循環ポンプＰと濾過器Ｑとを連通連結する浴湯流路10の中途に、装置本体１の外部に浴湯を排水可能な電動式の五方弁Ｖを主流路切換弁として配設しており、浴湯の流れる方向を適宜切換えて濾過運転、逆洗運転、洗浄運転を行えるようにしている。
【００３６】
図２において、V1,V2,V3,V4 は五方弁Ｖの第１〜第４連通口、V5は同五方弁Ｖの流入口であり、循環ポンプＰの吐出側とフロースイッチ４を介して連通連結している。また、第１連通口V1と紫外線殺菌装置Ｓとを連通連結し、同紫外線殺菌装置Ｓと濾過器Ｑとを連通連結するとともに、同濾過器Ｑと五方弁Ｖの第２連通口V2とを連通連結し、さらに、第３連通口V3と浴湯吐出パイプ３とを連通連結するとともに、五方弁Ｖの第４連通口V4に前記排水パイプ11を連通連結している。
【００３７】
また、本実施例に係る浴湯循環濾過装置Ａは、浴湯循環流路Ｒの往路側をなす循環ポンプＰの上流側に設けたヘアキャッチャＦと前記浴湯吸入口20との間をなす流路21と、前記濾過器Ｑ及びヒータＨの下流側をなす流路32とをバイパス流路R1で連通して、ヘアキャッチャＦと、循環ポンプＰと、濾過器Ｑと、ヒータＨとを含む殺菌流路RCを形成し、浴湯を、同殺菌流路内RCで循環させながら一定温度以上に加熱して、殺菌流路RC内を熱殺菌可能としている。
【００３８】
本実施例では、装置本体１内において、濾過器Ｑ及びヒータＨの下流側をなし、浴湯吐出口30に連通する流路32の中途にバイパス流路切換弁として電動式の三方弁Ｄを配設している。
【００３９】
したがって、本実施例に係る浴湯循環濾過装置Ａは、浴湯を浴湯循環流路Ｒ中に循環させながら五方弁Ｖの流路を切換えて濾過運転、逆洗運転、洗浄運転を行えるとともに、前記三方弁Ｄを切換えることによって、浴湯を殺菌流路RC内のみで循環可能とし、循環させながらヒータＨによって60〜80℃に加熱して殺菌流路RC内を熱殺菌する熱殺菌運転が可能となっている。
【００４０】
すなわち、レジオネラ属菌などの繁殖しやすい濾過器Ｑのみならず、本実施例では、雑菌の繁殖しやすいヘアキャッチャＦまでを確実に熱殺菌することができるようにしている。
【００４１】
図２において、D1,D2,D3は三方弁Ｄの第１〜第３ポートであり、第１ポートD1と浴湯吐出パイプ３を連通連結するとともに、第２ポートD2と五方弁Ｖの第３連通口V3とを連通連結し、さらに、第３ポートD3とバイパス流路R1とを連通連結している。
【００４２】
上記熱殺菌運転は、マイクロコンピュータからなる制御装置に予め組まれたプログラムに従って、一日に一回行うようにしている。たとえば、入浴することの殆どない時間帯に設定するなど、熱殺菌運転の開始時刻などは適宜設定可能である。また、前記操作パネル12に設けた殺菌運転スイッチ（図示せず）の操作で随時行うこともできる。
【００４３】
本発明の特徴となるのは、上記浴湯循環濾過装置Ａに配設したヘアキャッチャＦの構成にある。
【００４４】
すなわち、ヘアキャッチャＦは、図３及び図４に示すように、底部に浴湯流入口50を設け、かつ、上部側壁に浴湯流出口51を設けた筒状外ケース５と、同筒状外ケース５内に嵌入して、前記浴湯流入口50と浴湯流出口51とを遮断するとともに、前記浴湯流入口50から流入した浴湯を内部に導入する浴湯導入口60を上部周壁に形成した筒状内ケース６と、同筒状内ケース６内に配設され、メッシュ70を周設するとともに、前記筒状外ケース５の浴湯流出口51と内部で連通する筒状フィルタ本体７とを具備する構成となっている。
【００４５】
また、筒状外ケース５には、Ｘリングからなるシール材80を介して蓋体８を嵌着可能としており、しかも、同蓋体８と前記筒状フィルタ本体７及び筒状内ケース６とを係合連結して、蓋体８と一緒に筒状フィルタ本体７及び筒状内ケース６を筒状外ケース５から抜き差し可能としている。
【００４６】
すなわち、図６に示すように、筒状外ケース５は浴湯循環濾過装置Ａの装置本体11の上端面から挿通して配設できるようにして、ヘアキャッチャＦをメンテナンスする場合は、 装置本体１の蓋部1aを取り外すことで容易に着脱できるようにしている。5aは係止用フランジである（図３、図４参照）。
【００４７】
そして、筒状内側ケース６の上端近傍に、外側に嵌合用フランジ61を形成するとともに、内側には、筒状フィルタ本体７の上端に形成したフランジ部71を係止させるフィルタ係止部62を設け、さらに、上端周壁部6aに略Ｌ字状の係合用切欠部63を設けて、同係合用切欠部63に蓋体８の下端周壁8aに突設した係合突起81を係合可能としている。
【００４８】
なお、図３及び図４中、52は筒状外ケース５の周壁に設けた取付部、82は蓋体８の下端近傍に形成され、筒状フィルタ本体７の内部と筒状外ケース５の浴湯流出口51とを連通（矢印f1参照）する開口、83は蓋体８の周壁に設けた係止用突起、53は同係止用突起83に対応する切欠部であり、筒状外ケース５の係止用フランジ5aから上端部周壁5b（図３参照）にかけて設けている。
【００４９】
また、上記筒状内ケース６に形成した浴湯導入口60は、図５に示すように位置をずらして二ヶ所形成されており、しかも、両浴湯導入口60の一端縁にはそれぞれ案内片65を接線方向に伸延し、先端を筒状外ケース５に当接させるようにしている。
【００５０】
かかる構成により、図４において矢印ｆで示すように、浴湯導入口60から導入した浴湯を、旋回させながら筒状フィルタ本体７のメッシュ70を通過させることができる。そして、この旋回流によって洗い効果が生起され、メッシュ70面に生物膜などが生成されることがなくなり、衛生状態を良好に保つことができるとともに、髪の毛などを効果的に洗い流し、メッシュ70の目詰まりを可及的に防止できるので、ヘアキャッチャＦの洗浄回数を大幅に減少させることができる。
【００５１】
そして、清掃する場合は、上記したように、筒状外ケース５、筒状内ケース６、筒状フィルタ本体７とに簡単に分解することができ、かつ組立も容易となっているので、手間がかからず、しかも、髪の毛の絡みなどが少ないので、清掃時間の短縮を図ることができ、メンテナンスがきわめて楽になる。
【００５２】
さらに、上記メッシュ70は、筒状フィルタ本体７の上端から一定間隔Ｌだけあけた位置から周設している。
【００５３】
すなわち、筒状内ケース６の浴湯導入口60から流入した浴湯が、筒状フィルタ本体７の上端近傍から即座に内部に流入し、そのまま筒状外ケース５の上部側壁に設けた浴湯流出口51から抜けることを防止して、縦長のメッシュ70全体を旋回流で効率的に洗浄させるようにするためである。
【００５４】
このように、本ヘアキャッチャＦを用いれば、メッシュ70を含む内部全体を確実に熱殺菌することができ、雑菌の繁殖しやすいヘアキャッチャＦを清潔に保つことができるとともに、要部となるメッシュ70の洗い効果も生起させることができるので、ヘアキャッチャＦの清掃などのメンテナンスインターバルを著しく延長することができ、なおかつ、清掃も容易に行える。
【００５５】
ここで、本実施例に係る浴湯循環濾過装置Ａで実際に熱殺菌運転する場合について説明する。
【００５６】
図８(a)(b)に濾過運転、熱殺菌運転のときの浴湯の流れを示している。
【００５７】
浴湯循環濾過装置Ａは、通常は濾過運転を行っており、その場合、図８(a) に示すように、浴湯は、浴湯吸込部20→ヘアキャッチャＦ→循環ポンプＰ→五方弁Ｖ（流入口V5→第１連通口V1）→紫外線殺菌装置Ｓ→濾過器Ｑ→五方弁Ｖ（第２連通口V2→第３連通口V3）→三方弁Ｄ（第２ポートD2→第１ポートD1）→浴湯吐出口30と循環する。
【００５８】
このときに、浴湯の温度は、制御装置に接続した前記浴湯温度センサＥにより監視されており、設定温度以下であれば、制御装置よりヒータＨへの通電信号が出力されて加温し、浴湯は常時設定温度に保たれる。
【００５９】
所定時刻になると、熱殺菌運転が開始されるが、このとき、制御装置は三方弁Ｄに流路切換信号を出力して浴湯を装置本体１内の殺菌流路RCで循環させるとともにヒータＨへ温度上昇信号を出力し、浴湯温度を60〜80℃に上昇させ、かつ、この温度を10分間保つよう制御する。
【００６０】
すなわち、浴湯は、図８(b) に示すように、循環ポンプＰ→五方弁Ｖ（流入口V5→第１連通口V1）→紫外線殺菌装置Ｓ→濾過器Ｑ→五方弁Ｖ（第２連通口V2→第３連通口V3）→三方弁Ｄ（第２ポートD2→第３ポートD3）→バイパス流路R1ヘアキャッチャＦ→循環ポンプＰという殺菌流路RC内のみで循環する。
【００６１】
このときに、ヒータＨを濾過器Ｑの下部に設けているので、濾過材Q1中に増殖しやすい雑菌に対して熱殺菌が有効に行える。
【００６２】
特に、肺炎を引き起こすことで問題となるレジオネラ属菌は60℃で５分間加熱すると死滅することが知られているので本発明によれば確実に死滅させることができる。
【００６３】
しかも、ヘアキャッチャＦまでも60〜80℃の高温湯が循環するので、ヘアキャッチャＦ内に増殖しやすい抗酸菌類の殺菌も行なえ、入浴者は感染のおそれのない衛生的な入浴が行なえる。
【００６４】
また、熱殺菌終了後は、浴湯を浴湯循環流路Ｒ内で循環させて高温浴湯と浴槽内浴湯とで熱交換できるように三方弁Ｄを制御し、熱殺菌時の流量が、少なくとも、濾過運転時の流量の半分よりも少量であって、かつ、熱交換運転時の流量が熱殺菌時の流量よりも少量となるように流量を制御している。
【００６５】
より具体的に説明すれば、通常の濾過運転などにおける循環流量を13リットル毎分（Ｌ/ ｍｉｎ) として、約３０分の殺菌運転中は、循環ポンプＰの回転を制御して循環流量を5.6 Ｌ/ ｍｉｎとし、さらに、その後の熱交換運転時には、循環流量を0.5 Ｌ/ ｍｉｎとするものである。なお、熱交換運転時の流量は、浴湯の温度が45℃となるまで維持するようにしている。このときの温度検出は、サーミスタＴにより検出する。
【００６６】
ところで、5.6 Ｌ/ ｍｉｎという流量は、高温水であってもキャビテーションが起こらない程度の流量であり、0.5 Ｌ/ ｍｉｎという流量は、浴槽内に開口した浴湯吐出口30に、人が５ｃｍ程度の距離まで近づいても熱さを感じない程度の流量としたもので、いずれも実験的に決定されている。
【００６７】
上記構成とすれば、熱殺菌に使われた熱量を回収して熱エネルギーの有効利用が可能となるので、熱のロスがなく効率的となって省エネルギー化が図れ、節電効果も大きいものとなる。
【００６８】
しかも、たとえ殺菌運転中や殺菌運転終了直後に浴槽内に入浴者が入っても、浴湯吐出口から流出する熱湯は、浴槽内の湯と混ざれば火傷するようなことのない程度に少量に絞られているので極めて安全である。
【００６９】
以上、本実施例では、ヘアキャッチャＦを浴湯循環濾過装置Ａに配設したものとして説明したが、必ずしも浴湯循環濾過装置Ａに配設するものと限定されるものではなく、流路中に設けるフィルタ装置として広く用いることができる。
【００７０】
【発明の効果】
請求項１に係る本発明では、底部に浴湯流入口を設け、かつ、上部側壁に浴湯流出口を設けた筒状外ケースと、同筒状外ケース内に嵌入して、前記浴湯流入口と浴湯流出口とを遮断するとともに、前記浴湯流入口から流入した浴湯を内部に導入する浴湯導入口を上部周壁に形成した筒状内ケースと、同筒状内ケース内に配設され、メッシュを周設するとともに、前記筒状外ケースの浴湯流出口と連通する筒状フィルタ本体とを具備することとしたので、フィルタ効果が高く、かつ、取り扱いやすくてメンテナンス性の高いヘアキャッチャを提供することができる。また、上記筒状内ケースに形成した浴湯導入口を、位置をずらして複数個形成し、導入した浴湯を旋回させながらメッシュを通過させるようにしたので、メッシュを効率的に洗浄することができ、表面に生物膜などを生成させず、かつ、付着した汚れを洗い流すことができる。
【００７１】
請求項２に係る本発明では、浴湯を浴湯循環流路内で循環させる濾過運転と、浴湯を殺菌流路内で循環させながら加熱する熱殺菌運転と、同熱殺菌運転終了後に、浴湯を浴湯循環流路内で循環させて高温浴湯と浴槽内浴湯とで熱交換する熱交換運転とを行えるようにした浴湯循環濾過装置に配設したヘアキャッチャであって、底部に浴湯流入口を設け、かつ、上部側壁に浴湯流出口を設けた筒状外ケースと、同筒状外ケース内に嵌入して、前記浴湯流入口と浴湯流出口とを遮断するとともに、前記浴湯流入口から流入した浴湯を内部に導入する浴湯導入口を上部周壁に形成した筒状内ケースと、同筒状内ケース内に配設され、メッシュを周設するとともに、前記筒状外ケースの浴湯流出口と連通する筒状フィルタ本体とを具備し、前記筒状内ケースを形成した浴湯導入口を、位置をずらして複数個形成し、導入した浴湯を旋回させながら、メッシュを通過させるようにしたので、熱殺菌によって雑菌を死滅させ、常時衛生的に保つことができるとともに、洗い効果でメッシュの目詰まりを防止でき、メンテナンスインターバルを延長することができる。
【００７２】
請求項３に係る本発明では、上記メッシュは、筒状フィルタ本体の上端から一定間隔をあけた位置より周設したので、縦長のメッシュ全体を、旋回流でより効率的に洗浄することができる。
【図面の簡単な説明】
【図１】  本実施例に係るヘアキャッチャを具備する浴湯循環濾過装置の使用状態を示す説明図である。
【図２】  同浴湯循環濾過装置の模式的な説明図である。
【図３】  ヘアキャッチャの正面図である。
【図４】  同ヘアキャッチャの断面視による説明図である。
【図５】  図４のＩ−Ｉ線における端面図である。
【図６】  ヘアキャッチャの配設状態を示す説明図である。
【図７】  同ヘアキャッチャの蓋体と筒状内ケースとの係合状態を示す説明図である。
【図８】  浴湯循環濾過装置の浴湯の流れを示す説明図である。
【符号の説明】
Ａ  浴湯循環濾過装置
Ｆ  ヘアキャッチャ
Ｐ  循環ポンプ
Ｒ  浴湯循環流路
RC  殺菌流路
５  筒状外ケース
６  筒状内ケース
７  筒状フィルタ本体
50  浴湯流入口
51  浴湯流出口
60  浴湯導入口
70  メッシュ
【図１】
0004331361.tif 000002
【図２】
0004331361.tif 000003
【図３】
0004331361.tif 000004
【図４】
0004331361.tif 000005
【図５】
0004331361.tif 000006
【図６】
0004331361.tif 000007
【図７】
0004331361.tif 000008
【図８】
0004331361.tif 000009